(57)【要約】【課題】HDTVなどの映像信号を比較的簡単な処理により現信号の解像度をできるだけ保持しながら伝送帯域を半分にして効率よく伝送する映像信号処理方法およびその装置を提供。【解決手段】ディジタル化された映像信号の輝度信号および色差信号を伝送するために、輝度信号および色差信号のそれぞれについて１ビット分シフトして映像信号の量子化精度を削減し、量子化精度が削減された輝度信号に固定値を加算するとともに、色差信号を負号付きに変換し、これら輝度信号と色差信号とを演算により合成して複合映像信号を生成して所望する機器へ伝送する。【選択図】図１
2010087980.tif 000002
【特許請求の範囲】
【請求項１】
ディジタル化された映像信号の輝度信号および色差信号を伝送するために該映像信号を処理する映像信号処理方法において、該方法は、
前記映像信号の量子化精度を前記輝度信号および前記色差信号についてそれぞれ１ビット分削減する第１の工程と、
前記輝度信号および前記色差信号を合成する第２の工程とを含み、
該第２の工程にて合成された前記輝度信号および前記色差信号を共に伝送することを特徴とする映像信号処埋方法。
【請求項２】
請求項１に記載の方法において、前記第１の工程は、10ビットの量子化精度の輝度信号および色差信号をそれぞれ９ビット精度に変換し、
該方法は、前記９ビット精度に変換した輝度信号に固定値256を加算し、変換した色差信号を負号付きに変換する工程を含み、
前記第２の工程は、前記輝度信号と前記色差信号とを加減算処理することにより、加減算処理後の値の上限値および下限値を当初の量子化されたディジタル値の範囲に収めることを特徴とする映像信号処理方法。
【請求項３】
請求項１に記載の方法において、前記第２の工程にて合成された前記輝度信号および前記色差信号を受信して復調する際に、前記輝度信号から前記色差信号を分離する際に、所定の周期で負号を交番させる復調キャリアを生成し、該復調キャリアに応じて前記輝度信号と前記色差信号とを分離することを特徴とする映像信号処理方法。
【請求項４】
ディジタル化された映像信号の輝度信号および色差信号を伝送するために該映像信号を処理する映像信号処理装置において、該装置は、
前記映像信号の量子化精度を前記輝度信号および前記色差信号についてそれぞれ１ビット分削減する削減手段と、
前記輝度信号および前記色差信号を合成する合成手段とを含み、
該合成手段にて合成された前記輝度信号および前記色差信号を共に伝送することを特徴とする映像信号処埋装置。
【請求項５】
請求項４に記載の装置において、前記削減手段は、10ビットの量子化精度の輝度信号および色差信号をそれぞれ９ビット精度に変換し、
該装置は、前記９ビット精度に変換した輝度信号に固定値256を加算し、変換した色差信号を負号付きに変換する変換手段を含み、
前記合成手段は、前記輝度信号と前記色差信号とを加減算処理することにより、加減算処理後の値の上限値および下限値を当初の量子化されたディジタル値の範囲に収めることを特徴とする映像信号処理装置。
【請求項６】
請求項４に記載の装置において、前記合成手段にて合成された前記輝度信号および前記色差信号を受信して前記輝度信号から前記色差信号を分離する際に、所定の周期で負号を交番させる復調キャリアを生成し、該復調キャリアに応じて前記輝度信号と前記色差信号とを分離することを特徴とする映像信号処理装置。
【発明の詳細な説明】
【技術分野】
【０００１】
本発明は、映像信号処理方法に関するものであり、より具体的には、HDTV (High‐Definition Television)などの広帯域の映像信号を伝送する際に、伝送帯域を削減して伝送を行うために映像信号を処理する映像信号処理方法、ならびにその装置に関するものである。
【背景技術】
【０００２】
非特許文献１では、日本国内にて使用されているHDTV (High‐Definition Television)の標準規格が記載されている。1125/60高精細度テレビジョン方式スタジオ規格 (BTA S-001B)にてアナログ信号としての基本特性、走査線数、同期信号波形などが規定され、1125/60方式HDTV映像信号の符号化とビット並列インタフェース規格 (BTA S-002B)にてディジタル信号にする際の各種要件が規定されている。
【０００３】
また、1125/60方式HDTV信号のビット直列インタフェース規格（BTA S-004B）にてディジタル信号を同軸ケーブルや光ケーブルにて伝送する際のシリアル信号に関する要件が規定されている。
【０００４】
放送用途で使用されるHDTV信号は、上記規定に準拠し、ライン数1125本およびフィールド周波数60/1.001 [Hz]で規定され、ディジタル信号としては、輝度信号の標本化周波数が74.25/1.001 [MHz]、色差信号が37.125/1.001 [MHz]で規定され、それぞれ10ビットで量子化される。BTA S-004Bで規定されたシリアルディジタル信号は、一般にHD-SDI (High Definition Serial Digital Interface) と呼ばれ、1.5/1.001 [GHz]の伝送レートが必要となっている。
【０００５】
近年、インターネットなどを使用して映像信号を伝送する用途が増加している。HDTVの場合、約1.5 [Gbps]の伝送レートが必要であり、非常に広い帯域を必要とし、そのためHDTVの送受信機器や通信回線に必要な費用も高くなるため、一般的に広く普及していない。そこで、映像コーデックなどによって映像信号を高能率符号化することで、低い帯域での伝送を可能としたうえで、各種通信や放送用途で使用するのが一般的である。
【非特許文献１】「1125/60方式HDTVスタジオシステム標準規格 (BTA-S001合本  B/2.0版)」（1125/60高精細度テレビジョン方式スタジオ規格  BTAS-001B、1125/60方式HDTV映像信号の符号化とビット並列インタフェース規格  BTAS-002B、1125/60方式HDTV信号のビット直列インタフェース規格  BTAS-004B、1125/60方式HDTVビット直列インタフェースにおける補助データの共通規格  BTAS-005Sおよび1125/60方式HDTVビット直列インタフェースにおけるデジタル音声規格  BTAS-006S）  社団法人電波産業協会（ARIB）、1998年３月17日
【発明の開示】
【発明が解決しようとする課題】
【０００６】
しかし、HDTVを映像コーデックなどにより帯域圧縮する場合、複雑で高価な装置が必要となり、さらに、符号化処理および復号処理のための処理時間が多くかかることから、映像信号の伝送に大きな遅延時間が発生する。したがってリアルタイムで処理をするような用途では、遅延時間が問題となった。
【０００７】
一方、映像信号を圧縮をせずに伝送する場合、1.5 [Gbps]の伝送レートが必要であるが、一般的な通信回線は、たとえば1 [Gbps]、2.4 [Gbps]および10 [Gbps]などの伝送レートが標準的に使用され、1.5 [Gbps]という伝送レートは非効率となっていた。
【０００８】
本発明はこのような課題に鑑み、たとえばHDTVなどの映像信号を比較的簡単な処理により現信号の解像度をできるだけ保持しながら伝送帯域を半分にして効率よく伝送する映像信号処理方法およびその装置を提供することを目的とする。
【課題を解決するための手段】
【０００９】
本発明は上述の課題を解決するために、ディジタル化された映像信号の輝度信号および色差信号を伝送するために映像信号を処理する映像信号処理方法において、この方法は、映像信号の量子化精度を輝度信号および色差信号についてそれぞれ１ビット分削減する第１の工程と、輝度信号および色差信号を合成する第２の工程とを含み、第２の工程にて合成された輝度信号および色差信号を共に伝送することを特徴とする。
【００１０】
この場合、第１の工程は、10ビットの量子化精度の輝度信号および色差信号をそれぞれ９ビット精度に変換し、この方法は、９ビット精度に変換した輝度信号に固定値256を加算し、変換した色差信号を負号付きに変換する工程を含み、第２の工程は、輝度信号と色差信号とを加減算処理することにより、加減算処理後の値の上限値および下限値を当初の量子化されたディジタル値の範囲に収めるとよい。
【００１１】
また、第２の工程にて合成された輝度信号および色差信号を受信して復調する際に、輝度信号から色差信号を分離する際に、所定の周期で負号を交番させる復調キャリアを生成し、復調キャリアに応じて輝度信号と色差信号とを分離するとよい。
【００１２】
また、本発明は上述の課題を解決するために、ディジタル化された映像信号の輝度信号および色差信号を伝送するために映像信号を処理する映像信号処理装置において、この装置は、映像信号の量子化精度を輝度信号および色差信号についてそれぞれ１ビット分削減する削減手段と、輝度信号および色差信号を合成する合成手段とを含み、合成手段にて合成された輝度信号および色差信号を共に伝送することを特徴とする。
【００１３】
この場合、削減手段は、10ビットの量子化精度の輝度信号および色差信号をそれぞれ９ビット精度に変換し、この装置は、９ビット精度に変換した輝度信号に固定値256を加算し、変換した色差信号を負号付きに変換する変換手段を含み、合成手段は、輝度信号と色差信号とを加減算処理することにより、加減算処理後の値の上限値および下限値を当初の量子化されたディジタル値の範囲に収めるとよい。
【００１４】
また、合成手段にて合成された輝度信号および色差信号を受信して輝度信号から色差信号を分離する際に、所定の周期で負号を交番させる復調キャリアを生成し、復調キャリアに応じて輝度信号と色差信号とを分離するとよい。
【発明の効果】
【００１５】
本発明によれば、たとえば、HDTVを非圧縮で伝送する場合に必要な伝送レート1.5 [Gbps]を映像の品質劣化を最小限に抑えたうえで、半分の伝送レートである0.75 [Gbps]に削減することができる。また、処理するための構成が比較的簡便な構成で実現することができ、処理に伴う遅延時間も一般的な圧縮コーデックを使用する場合に比べてわずかであるから低遅延時間が必要な用途に好適である。
【００１６】
HDTVの映像信号を比較的簡単な処理により現信号の解像度をできるだけ保持しながら伝送帯域を半分にして効率よく伝送することのできる映像信号処理方法およびその装置が提供される。
【発明を実施するための最良の形態】
【００１７】
次に添付図面を参照して本発明による映像信号処理装置の実施例を詳細に説明する。図１を参照すると、本発明が適用された映像信号処理装置の一実施例が示されている。本実施例における映像信号処理装置10は、HDTV (High‐Definition Television)のディジタル化された映像信号の量子化精度を削減し、輝度信号と色差信号を合成することでそのデータ量を半減させて、通信回線などを使用して映像信号を伝送する際に必要な伝送帯域を削減し、効率よく伝送させることができる。なお、以下の説明において本発明に直接関係のない部分は、図示およびその説明を省略し、また、信号の参照符号はその現われる接続線の参照番号で表わす。
【００１８】
図示するように映像信号処理装置10は、それぞれ10ビットでディジタル化されたHDTVの輝度信号（以下、Y信号と呼ぶ）および色差信号（以下、PbPr信号と呼ぶ）をそれぞれ入力100および102に入力する。映像信号処理装置10内の送信側の信号処理回路12では、これらY信号100およびPbPr信号102を入力して、それぞれを９ビットに量子化精度を削減するダイナミックレンジ変換をしたうえで、PbPr信号102は２の補数に変換したのち重畳用キャリアと乗算したうえでY信号100に加算し、Y信号100に固定値を加算することで、加算後のデータが入力信号の10ビット表示内に収まるようにする。信号処理回路12の入力104にはタイミング信号が入力され、処理後の複合映像信号を出力106から出力する。タイミング信号は、ライン単位の開始位置を示す情報Hと、フレーム開始位置を示す情報Vと、フィールドの識別を示す情報Fとを含む。なお、本実施例では、1080ライン／59.94フィールドのHDTVを例として説明する。
【００１９】
信号処理回路12の内部構成例を図２に示す。入力100に接続された乗算器20は、入力された10ビットのY信号100に値1/2を乗算して、９ビットのY信号200として出力200に出力する演算回路である。この場合、たとえばY信号100をビットシフトしてLSB (Least Significant Bit)の１ビットを削除する量子化精度削減が実現される。
【００２０】
入力102に接続された減算器22は、入力された10ビットのPbPr信号102を負号付表現である２の補数に変換するための減算器である。減算器22は、入力信号102から他方の入力202に入力される固定値512[d’512]を減算し、その減算の結果を負号付表現のPbPr信号として出力204に出力する。減算器22の出力204は乗算器24に接続されている。
【００２１】
乗算器24は、Y信号100に対する乗算器20の演算処理と同様に量子化精度削減機能を有し、負号付表現にされたPbPr信号204に対して値1/2を乗算して、10ビットを９ビットのPbPr信号206にする。乗算器24の出力206は、乗算器26の一方の入力に接続されている。
【００２２】
信号処理回路12の入力104に接続された重畳用キャリア発生部28は、色差信号206と乗算器26で乗算するためのキャリア208を発生させるキャリア発生回路である。重畳用キャリア発生部28は、入力するY信号100およびPbPr信号102に同期するタイミング信号104に応じて値＋１または値−１を選択して、色差信号206の負号を反転させるか否かを実行するためのキャリアを出力208に出力する。この出力208は加算器26の他方の入力に接続され、乗算器26は、PbPr信号206とキャリア208とを乗算して、その乗算の結果を出力210に出力する。
【００２３】
乗算器20の出力200に接続された加算器212は、Y信号200に他方の入力214に入力される固定値256[d’256]を加算する演算回路である。この加算器212の補正処理により、次段でPbPr信号210を加算処理する際に10ビットの量子化値内に収める。加算器212の出力216は加算器218の一方の入力に接続されている。
【００２４】
加算器218は、補正されたY信号216とキャリア208により変調されたPbPr信号210を加算して合成し、その演算の結果を複合映像信号106として出力する。この複合映像信号106は、映像信号処理回路10の出力106から所望の機器へ伝送される。
【００２５】
図１に戻って、映像信号処理装置10内の受信側の信号処理回路14は、伝送されて入力110に入力される複合映像信号110から元のY信号およびPbPr信号を分離する処理回路である。
【００２６】
信号処理回路14の内部構成例を図５に示す。複合映像信号が入力される入力110は色差信号分離フィルタ50と遅延素子52とが接続されている。
【００２７】
色差信号分離フィルタ50は、入力される複合映像信号110からPrPb信号を分離するフィルタ回路であり、分離したPrPb信号を出力500に出力する。
【００２８】
遅延素子52は、色差信号分離フィルタ50の処理遅延量を補正して複合映像信号を出力502にする。色差信号分離フィルタ50の出力500と遅延素子52の出力502とは減算器54に接続されている。
【００２９】
減算器54は、処理遅延量が補正された映像信号502からPbPr信号500を減算して、Y信号を取り出す処埋を行い、取り出したY信号を出力504に出力する。この出力504は、減算器56の一方の入力に接続されている。
【００３０】
信号処理回路14の入力112が接続される分離用キャリア発生部58は、PbPr信号500を元の信号に戻すための復調用キャリアを発生し、復調キャリアを出力506に出力する。この出力506は乗算器60に接続されている。
【００３１】
乗算器60は、色差信号分離フィルタ50の出力500と復調キャリア506とを入力して復調処理に相当する処理を行う乗算回路である。具体的には、たとえば、キャリア発生部58は、映像信号に同期するタイミング信号112によって、値＋１または値−１を選択して、PbPr信号500の負号を乗算器60にて反転させるか否かの処理を行う。乗算器60はその乗算の結果を出力508に出力する。
【００３２】
減算器16は、加算器212（図２）とは逆の処理を行う演算回路であり、輝度信号504から、他方の入力510に入力される固定値256[d’256]を減算する演算回路である。減算器16の出力512は乗算器62に接続されている。また、上述の乗算器60の出力508は乗算器64に接続されている。
【００３３】
乗算器62および64は、それぞれ図２に示した乗算器20および24による処理とは逆の処理を行う演算回路であり、それぞれ入力される信号をそれぞれ２倍して、10ビットの信号に戻す処理を行う。乗算器62は、10ビットに変換したY信号を出力114に出力し、同様に10ビットに変換したPbPr信号を出力514に出力する。この出力514は加算器66の一方の入力に接続されている。
【００３４】
加算器66は、減算器22（図２）による処理とは逆の処理を行う演算回路であり、PbPr信号514に、他方の入力516に入力される固定値512[d’512]を加算して元の符号無し形式に戻す処理を行い、処理後のPbPr信号を出力116に出力する。
【００３５】
以上のような構成で、本実施例における信号処理装置の動作を以下に説明する。まず、HDTVのディジタル信号は、非特許文献１のBTA S002Bで規定されているように、Y信号を標本化周波数74.25/1.001 [MHz]、量子化精度10ビットでディジタル化し、Pb信号およびPr信号をそれぞれ標本化周波数37.125/1.001 [MHz]、量子化精度10ビットでディジタル化し、色差信号（Pb信号およびPr信号）は、多重してPbPr信号としている。
【００３６】
映像信号１ラインのデータ構造を図３に示す。１ラインあたりのデータ数は2200(2200T)であり、そのうち、有効映像データは、1920 (1920T)となっている。同期コードEAV (Endo of Active Video)および同期コードSAV (Start of Active Video)は、有効映像データの開始および終了のタイミングで挿入され、同期信号に相当する。これら同期コードには、ライン単位の開始位置を示す情報H、映像のフレーム開始位置を示す情報Vおよびフィールドの識別を示す情報Fを含む。
【００３７】
図２に戻って、信号処理回路12に入力された10ビットのY信号100は、乗算器20にて、値1/2が乗算されて９ビットに変換される。具体的な処理として、たとえばY信号100をビットシフトしてLSBの１ビットを削除する処理が行われる。また、入力された10ビットのPbPr信号102は、減算器22にて固定値512[d’512]が減算されて、２の補数に変換された信号204に変換した後、乗算器24にて、Y信号100と同様に、値1/2が乗算され、10ビットを９ビットのPbPr信号206に変換して出力される。
【００３８】
９ビットに変換されたY信号200は、加算器212にて固定値256[d’256]が加算される。これは、次段でPbPr信号210を加算する際に10ビットの量子化値内に収めるための処理である。PbPr信号206は、タイミング信号104の情報H,V,Fに同期したキャリア信号208と乗算器26にて乗算される。
【００３９】
重畳用のキャリア信号208は、実際には値＋１または値−１のいずれかの値をとり、信号206に同期して値を設定する。以下重畳用のキャリア信号208を設定する方法を説明する。有効映像信号は、Y信号が１ラインあたり1920画素あり、PbPr信号が960画素あるので、PbPr信号の開始点から順にP＝1,2,3,...,960とする。また、有効映像ラインは、１フレームあたり1080ラインで、フィールドあたり540であり、各フィールドの先頭からL＝1,2,3,...,540とし、Pb信号、Pr信号の位置をそれぞれ、Pb(P,L)、Pr(P,L)  (P＝1,2,3,...,960、L＝1,2,3,...,540)と表し、重畳用キャリア信号sとすると、以下のように設定する。
【００４０】
つまり、s＝＋1  （L：奇数、P：奇数）、s＝−1  （L：奇数、P：偶数）、s＝−1  （L：偶数、P：奇数）、s＝＋1  （L：偶数、P：偶数）とする。
【００４１】
Y信号216と変調されたPbPr信号210とは、加算器218にて加算されて、複合映像信号106が得られる。ラインあたりの有効映像の画素数Pが1920であり、複合映像信号をVとすると、図３に示すように、以下のような処理となる。
V1＝Y'1＋Pb'1、V2＝Y'2＋Pr'1、
V1＝Y'3−Pb'2、V4＝Y'4−Pr'2、
V5＝Y'5＋Pb'3、V6＝Y'6＋Pb'3、・・・
ここで、Y'は、乗算器204にて1/2にした後、値256が加算されたY信号216を示し、Pb'、Pr'は同様に補正後のPbPr信号206を示している。加算と減算は、上述の重畳用キャリアsに対応し、画素位置およびライン位置によって定まる。
【００４２】
なお、図４を参照すると、一連の量子化値の変換処理が示されている。10ビットは、10進数で値0から値1023までをとるが、非特許文献１の規定により、値0〜3と値1021〜値1023はEAV、SAVに使用されるので映像信号として使用することができない。そこでY信号については、LSBを削除して９ビットとした後、値256を加算すると、Y'信号は、Y'＝Y/2＋256により、とりえる値は、値258〜値766となる。同様にPbPr信号は、Pb'＝(Pb−512)／2、Pr'＝(Pr−512)／2より、値−254〜253の値をとる。合成された映像信号Vは、V＝Y'＋Pb'(Pr')により値4〜1019の値をとるので、10ビットの量子化値として表わすことができる。
【００４３】
次に、受信側の映像信号処理回路14の動作について説明すると、図５に示すように複合映像信号110は、色差信号分離フィルタ50によってPrPb信号が分離され出力500から出力される。この色差信号分離フィルタ50の構成例を図６に示す。このフィルタ50は、標準化されているNTSC (National  Television  System  Committee)信号と呼ばれるアナログ複合映像信号から、輝度信号と色信号を分離する際に使用するフィルタと類似した構成にて実現することができる。これは送信側にてPbPr信号を重畳する際に、加減算の負号を、隣接する画素間および隣接するライン間で反転させることによって、従来のNTSCでの処理方法と類似した方法で処理を行えるようにしたことによる。
【００４４】
図６に示すように色差信号分離フィルタ50は、入力110には、１画素遅延素子(D) 600,602,604,606が直列に接続されるとともに、値−1/4を乗算する乗算器608に接続されている。乗算器608の出力610は加算器612に接続される。１画素遅延素子(D) 602の出力612は、値1/2を乗算する乗算器614およびその出力616を介して加算器612に接続される。また、１画素遅延素子(D) 606の出力618は、値−1/4を乗算する乗算器620およびその出力622を介して加算器612に接続される。
【００４５】
加算器612は、乗算器608,614,620の各出力610,616,622を加算し、その演算の結果を出力624に出力する。この出力624は、１水平走査(1H)遅延素子630,632が直列に接続されるとともに、値−1/4を乗算する乗算器634に接続されている。乗算器634の出力636は加算器638に接続される。１水平走査遅延素子630の出力640は、値1/2を乗算する乗算器642およびその出力644を介して加算器638に接続される。また、１水平走査遅延素子640の出力646は、値−1/4を乗算する乗算器648およびその出力650を介して加算器638に接続される。
【００４６】
加算器638は、乗算器634,642,648の各出力636,644,650を加算し、その演算の結果を出力500に出力する。
【００４７】
図５に戻って、複合映像信号110は、遅延素子52と、色差信号分離フィルタ50とに入力され、遅延素子52にてフィルタ50による処理遅延量が補正されて出力502を介して減算器54に入力される。減算器54には色差信号分離フィルタ50の出力が入力されて、減算器54は、遅延補正された映像信号502からPbPr信号500を減算して、Y信号504を取り出す。Y信号504は、減算器56にて固定値256[d’256]が減算された後、乗算器62にて２倍して、Y信号114を取り出す。
【００４８】
また、分離用キャリア発生部58では、PbPr信号500を元の信号に戻すための復調用キャリア506を発生する。復調用キャリア506は、乗算器60に入力されて、乗算器60は、色差信号203と復調用キャリア506を乗算して復調処理を行う。ここで、この復調用キャリア506は、送信側の重畳用キャリア208（図２）と同様に、映像信号に同期したタイミング信号112によって、画素位置およびライン位置から、値＋１または値−１が分離用キャリア発生部58にて選択し、この選択に応じて色差信号500の負号を乗算回路60にて反転または反転させないかの処理を行う。
【００４９】
このようにして復調されたPbPr信号508は、乗算器64にて２倍された後、加算器66にて固定値512[d’512]が加算されて、PbPr信号116を取り出される。
【００５０】
なお、最終的に取り出されたY信号114およびPbPr信号116は、10ビットであるが、LSBは０固定であり、９ビット精度となっている。
【００５１】
以上のように、本実施例によれば，HDTVを非圧縮で伝送する場合に必要な伝送レート1.5 [Gbps]を映像の品質劣化を最小限に抑えたうえで、半分の伝送レートである0.75 [Gbps]にすることができる。また、処理するための構成が比較的簡便な構成で実現することができ、処理に伴う遅延時間も一般的な圧縮コーデックを使用する場合に比べてわずかであるから低遅延時間が必要な用途に好適である。
【００５２】
なお、上記実施例では、1080ライン／59.94フィールドのHDTVを例として説明したが、これに限らず、たとえば、1080ライン/50フィールドや720ライン/59.94フィールドなどの他のHDTV方式に適用することがでる。また、525ライン/59.94フィールドや625ライン/50フィールドなどの標準TV方式に対しても同様に適用することができる。
【図面の簡単な説明】
【００５３】
【図１】本発明が適用された映像信号処理装置の一実施例を示すブロック図である。
【図２】図１に示した実施例における送信側信号処理回路の構成例を示すブロック図である。
【図３】図１に示した実施例における映像信号合成方法を示す図である。
【図４】量子化値の変換処理を示す図である。
【図５】図１に示した実施例における受信側信号処理回路の構成例を示すブロック図である。
【図６】図５に示し色差信号分離フィルタの構成例を示すブロック図である。
【符号の説明】
【００５４】
10  映像信号処理装置
12  信号処理回路
20、24  乗算器
22  減算器
26  乗算器
28  重畳用キャリア発生部
212、218  加算器
【図１】
2010087980.tif 000003
【図２】
2010087980.tif 000004
【図３】
2010087980.tif 000005
【図４】
2010087980.tif 000006
【図５】
2010087980.tif 000007
【図６】
2010087980.tif 000008